(57)【特許請求の範囲】
【請求項１】
相対する側壁に、幅広のポケットと幅狭の支脚との組み合わせとからなる幅広ポケット・支脚部と幅広の支脚と幅狭のポケットとの組み合わせとからなる幅広支脚・ポケット部とが形成されており、スタッキングの際には、上に位置する容器の幅狭の支脚と幅広の支脚とが、下に位置する容器のフランジに載置され、また、ネスティングの際には、上に位置する容器の幅狭の支脚が、下に位置する容器の幅狭のポケットに挿入されるとともに、上に位置する容器の幅広の支脚が、下に位置する容器の幅広のポケットに挿入されるように構成されたネスティング及びスタッキングが可能な運搬用容器において、前記幅広支脚・ポケット部の幅広支脚の下面と該幅広支脚が形成されている側壁の外壁面とにより形成される隅部には、前記幅広支脚の下面の幅と同じ幅を有する板状の寄せブロックが形成されており、且つ、前記寄せブロックは、前記幅広支脚の下面から底部の裏面まで延在していることを特徴とする運搬用容器。
【請求項２】
寄せブロックのスライド方向前方に、傾斜面を形成したことを特徴とする請求項１に記載の運搬用容器。
【発明の詳細な説明】
【０００１】
【発明の属する技術分野】
本発明は、空の運搬用容器（以下、運搬用容器を、単に、「容器」ともいう。）を積み重ねる際には、上に位置する容器のほぼ半分ほどが、下に位置する容器に嵌め込まれ、所謂、ネスティングされ、また、内容物が収納された容器を積み重ねる際には、上に位置する容器が、下に位置する容器のフランジに載置されて、嵌め込まれないように積み重ねる、所謂、スタッキングされることが可能な容器に関するものである。
【０００２】
【従来の技術】
容器の各側壁の両端部付近に、容器の深さのほぼ半分の深さを有するポケットと側壁の外壁面に形成された支脚との組み合わせからなるポケット・支脚部を、それぞれ、配設した容器が知られている。このような容器は、下に位置する容器と上に位置する容器とが、同じ向きに積み重ねられた際には、下に位置する容器の開口部に形成されたフランジ上に、上に位置する容器の支脚が載置されて、上に位置する容器が、下に位置する容器に嵌め込まれないように積み重ねられる、所謂、スタッキングされ、また、スタッキング状態から、上に位置する容器を、平面的に、１８０度回転させることにより、上に位置する容器の支脚が、下に位置する容器のポケットに挿入されて、上に位置する容器が、下に位置する容器に嵌め込まれる、所謂、ネスティングされることになる。
【０００３】
【発明が解決しようとする課題】
図５〜図７を用いて、本発明が解決しようとする課題について説明する。
【０００４】
容器は、底部１と、外側にやや傾斜した相対する長側壁２と同じく外側のやや傾斜した相対する短側壁３とから構成されている。４は、容器の開口部を取り囲むように、長側壁２及び短側壁３の上端から水平方向外側に延在するフランジである。５は、フランジの近傍に、フランジ４に沿って形成された上部水平リブである。
【０００５】
ｐ１は、フランジ３から底部１に向かって、長側壁２の一方の隅部寄りの内壁に形成された縦長の凹部からなるポケットであり、容器のほぼ半分の深さを有している。ｃ１は、ポケットｐ１と適当な間隙を置いて或いはポケットｐ１に隣接して、ポケットｐ１より、容器の中央部寄りの長側壁２の外壁面に形成された支脚であり、支脚ｃ１は、上部水平リブ５から底部１の近傍まで延びるように形成されている。上記のポケットｐ１の内幅は、上記の支脚ｃ１の外幅より広く形成されている。以下、このような、幅広のポケットｐ１と幅狭の支脚ｃ１と組み合わせを幅広ポケット・支脚部Ｓ１と称する。
【０００６】
ｃ２は、長側壁２のもう一方の隅部寄りの外壁面に形成された、上述した支脚ｃ１より、幅広の支脚であり、支脚ｃ２は、幅狭の支脚ｃ１と同様に、上部水平リブ５から底部１の近傍まで延びるように形成されている。ｐ２は、支脚ｃ２と適当な間隙を置いて或いは支脚ｃ２に隣接して、支脚ｃ２より、容器の中央部寄りの長側壁２の内壁に形成された縦長の凹部からなるポケットであり、容器のほぼ半分の深さを有しており、該ポケットｐ２は、幅広ポケット・支脚部Ｓ１のポケットｐ１の内幅より狭い内幅を有している。以下、このような、幅広の支脚ｃ２と幅狭のポケットｐ２との組み合わせを幅広支脚・ポケット部Ｓ２と称する。また、幅狭の支脚ｃ１及び幅広の支脚ｃ２の下面には、それぞれ、長側壁２の壁面に対してほぼ垂直に形成された板状の寄せリブｃ１ａ、ｃ２ａが垂設されており、寄せリブｃ１ａ、ｃ２ａの下端は、ほぼ底部１の裏面１ａまで延在している。この寄せリブｃ１ａ、ｃ２ａは、スタッキングの際に、下に位置する容器内に挿入され、上に位置する容器の横移動を少なくするような機能を有するものである。
【０００７】
幅広ポケット・支脚部Ｓ１の幅狭の支脚ｃ１の外幅は、幅広支脚・ポケット部Ｓ２の幅狭のポケットｐ２の内幅より狭く形成されており、従って、ネスティングの際には、幅広ポケット・支脚部Ｓ１の幅狭の支脚ｃ１が、幅広支脚・ポケット部Ｓ２の幅狭のポケットｐ２に挿入できるように構成されている。また、幅広支脚・ポケット部Ｓ２の幅広の支脚ｃ２の外幅は、幅広ポケット・支脚部Ｓ１の幅広のポケットｐ１の内幅より狭く形成されており、従って、ネスティングの際には、幅広支脚・ポケット部Ｓ２の幅広の支脚ｃ２が、幅広ポケット・支脚部Ｓ１の幅広のポケットｐ１に挿入できるように構成されている。
【０００８】
本実施例には、一例として、上述した幅広ポケット・支脚部Ｓ１が  、相対する長側壁２の一方の隅部付近に、互いに対向して配置されており、また、相対する長側壁２のもう一方の隅部付近に、互いに対向するように、上述した幅広支脚・ポケット部Ｓ２が配置されている例が示されている。
【０００９】
なお、上述した、長側壁２に配設された幅広ポケット・支脚部Ｓ１及び幅広支脚・ポケット部Ｓ２の配置は、上述した配置に限定されるものではなく、下に位置する容器と上に位置する容器とが、同じ向きに積み重ねられた際には、下に位置する容器の開口部に形成されたフランジ４上に、上に位置する容器の支脚ｃ１、ｃ２が載置されて、上に位置する容器が、下に位置する容器に嵌め込まれないように積み重ねられる、所謂、スタッキングされ、また、スタッキング状態から、上に位置する容器を、平面的に、１８０度回転させることにより、上に位置する容器の支脚ｃ１、ｃ２が、下に位置する容器のポケットｐ１、ｐ２に挿入されて、上に位置する容器が、下に位置する容器に嵌め込まれる、所謂、ネスティングされるような配置であればどのような配置でもよい。
【００１０】
下に位置する容器と上に位置する容器とが、同じ向きになるように、即ち、下に位置する容器の幅広ポケット・支脚部Ｓ１の上方に、上に位置する容器の幅広ポケット・支脚部Ｓ１が位置し、また、下に位置する容器の幅広支脚・ポケット部Ｓ２の上方に、上に位置する容器の幅広支脚・ポケット部Ｓ２が位置するように、容器を積み重ねると、上に位置する容器の合計４本の支脚ｃ１、ｃ２が、フランジ４に載置されるので、下に位置する容器の上に、上に位置する容器がスタッキングされることになる。なお、スタッキングの際には、上に位置する容器の底部１が、若干、下に位置する容器の中に入るとともに、幅狭の支脚ｃ１及び幅広の支脚ｃ２の下面に形成されている寄せリブｃ１ａ、ｃ２ａが、下に位置する容器内に挿入され、上に位置する容器の横移動が少なくなるように構成されている。
【００１１】
また、スタッキング状態から、上に位置する容器を、平面的に、１８０度回転させて、下に位置する容器と上に位置する容器とが、異なる向きになるように、即ち、下に位置する容器の幅広ポケット・支脚部Ｓ１の上方に、上に位置する容器の幅広支脚・ポケット部Ｓ２が位置し、また、下に位置する容器の幅広支脚・ポケット部Ｓ２の上方に、上に位置する容器の幅広ポケット・支脚部Ｓ１が位置するように配置すると、下に位置する容器の幅広ポケット・支脚部Ｓ１の幅広のポケットｐ１に、上に位置する容器の幅広支脚・ポケット部Ｓ２の幅広の支脚ｃ２が、また、下に位置する幅広支脚・ポケット部Ｓ２の幅狭のポケットｐ２に、上に位置する幅広ポケット・支脚部Ｓ１の幅狭の支脚ｃ１が、それぞれ挿入されることになり、従って、上に位置する容器の略半分が、下に位置する容器の内部に嵌め込まれてネスティングされることになる。
【００１２】
次に、図７を用いて、上に位置する容器Ｂａを、下に位置する容器Ｂｂのフランジ３に沿ってスライドさせながらスタッキングする、所謂、スライドスタッキングについて説明する。
【００１３】
図７に示されているように、上に位置する容器Ｂａの底部１のほぼ中程を、下に位置する容器Ｂｂの幅広ポケット・支脚部Ｓ１側に位置する短側壁３に載置するとともに、上に位置する容器Ｂａの幅広支脚・ポケット部Ｓ２の支脚ｃ２が、下に位置する容器Ｂｂの長側壁２側のフランジ４の中程に位置するように、上に位置する容器Ｂａと下に位置する容器Ｂｂとを配置する。次いで、上に位置する容器Ｂａを、下に位置する容器Ｂｂの幅広支脚・ポケット部Ｓ２側に位置する短側壁３方向（図７において、右方向）にスライドさせるが、このスライド途中において、上に位置する容器Ｂａの幅広支脚・ポケット部Ｓ２の支脚ｃ２が、下に位置する容器Ｂｂの幅広支脚・ポケット部Ｓ２のポケットｐ２を通過することになるが、この上に位置する容器Ｂａの幅広支脚・ポケット部Ｓ２の支脚ｃ２が、下に位置する容器Ｂｂの幅広支脚・ポケット部Ｓ２のポケットｐ２を通過する際に、上に位置する容器Ｂａの幅広ポケット・支脚部Ｓ１側に位置する短側壁３が、下に位置する容器Ｂｂの一方の長側壁２側に偏向していると（図７には、上に位置する容器Ｂａの幅広ポケット・支脚部Ｓ１側に位置する短側壁３が、下に位置する容器Ｂｂの図７において隠れている長側壁２方向に偏って位置している例が示されている。）、上に位置する容器Ｂａの一方の長側壁２（図７において、手前に位置する長側壁２）に形成された幅広支脚・ポケット部Ｓ２の支脚ｃ２の寄せリブｃ２ａが、下に位置する容器Ｂｂの幅広支脚・ポケット部Ｓ２のポケットｐ２に入り込むとともに、上記寄せリブｃ２ａが、下に位置する容器Ｂｂのポケットｐ２の相対する内側面ｐ２ａのうち、支脚ｃ２側に位置する内側面ｐ２ａに当接し、下に位置する容器Ｂｂの幅広支脚・ポケット部Ｓ２側に位置する短側壁３方向へのスライドが阻止されて、スライドスタッキングができなくなる場合がある。
【００１４】
本発明の目的は、上述した従来の運搬用容器が有する課題を解決し、スムースなスライドスタッキングが可能な運搬用容器を提供することにある。
【００１５】
【課題を解決するための手段】
本発明は、上述した目的を達成するために、相対する側壁に、幅広のポケットと幅狭の支脚との組み合わせとからなる幅広ポケット・支脚部と幅広の支脚と幅狭のポケットとの組み合わせとからなる幅広支脚・ポケット部とが形成されており、スタッキングの際には、上に位置する容器の幅狭の支脚と幅広の支脚とが、下に位置する容器のフランジに載置され、また、ネスティングの際には、上に位置する容器の幅狭の支脚が、下に位置する容器の幅狭のポケットに挿入されるとともに、上に位置する容器の幅広の支脚が、下に位置する容器の幅広のポケットに挿入されるように構成されたネスティング及びスタッキングが可能な運搬用容器において、第１には、前記幅広支脚・ポケット部の幅広支脚の下面と該幅広支脚が形成されている側壁の外壁面とにより形成される隅部に、前記幅広支脚の下面の幅と同じ幅を有する板状の寄せブロックを形成し、且つ、前記寄せブロックを、前記幅広支脚の下面から底部の裏面まで延在するように構成したものであり、第２には、寄せブロックのスライド方向前方に、傾斜面を形成したものである。
【００１６】
【実施例】
以下に、図１〜図４を用いて、本発明の実施例について説明するが、本発明の趣旨を越えない限り何ら、本実施例に限定されるものではない。なお、寄せリブｃ１ａ、ｃ２ａ以外の構成部材については、上述した従来の運搬用容器の構成部材と同じであるので、同じ構成部材については、同一の符号を使用するとともに、その説明は省略する。
【００１７】
本発明においては、スライドスタッキングの際に、ポケットを通過する支脚、即ち、図７に示されて例においては、幅広支脚・ポケット部Ｓ２の支脚ｃ２に形成されている寄せリブｃ２ａの形状を改良したものである。
【００１８】
上述した従来の寄せリブｃ２ａに代えて、幅広支脚・ポケット部Ｓ２の支脚ｃ２の下面ｃ２’と長側壁２の外壁面２ａとにより形成される隅部に、支脚ｃ２の下面ｃ２’の幅（長側壁２の外壁面２ａに沿った方向の長さ）ｗ１とほぼ同じ幅を有するとともに、支脚ｃ２の下面ｃ２’から、ほぼ底部１の裏面１ａまで延在する板状の寄せブロック６が形成されている。また、寄せブロック６のスライド方向前方に位置する側壁と前面６ａとにより形成される角部に、傾斜面６ｂが形成されている。なお、６ｃは、容器の軽量化のために、寄せブロック６に形成された凹部である。
【００１９】
上述したような、支脚ｃ２に、支脚ｃ２の下面ｃ２’とほぼ同じ幅ｗ１を有する板状の寄せブロック６を形成したので、図４に示されているスライドスタッキングのスライド途中において、上に位置する容器Ｂａの幅広支脚・ポケット部Ｓ２の支脚ｃ２が、下に位置する容器Ｂｂの幅広支脚・ポケット部Ｓ２のポケットｐ２を通過する際に、上に位置する容器Ｂａの長側壁２に形成された幅広支脚・ポケット部Ｓ２の支脚ｃ２の寄せブロック６が、下に位置する容器Ｂｂの幅広支脚・ポケット部Ｓ２のポケットｐ２に入り難くなり、従って、スムースなスライドスタッキングが可能になる。また、スライド方向前方には傾斜面６ｂが形成されているので、寄せブロック６が、下に位置する容器Ｂｂのポケットｐ２の支脚ｃ２側に位置する内側面ｐ２ａと長側壁２の内壁面２ｂとにより形成される角部７に当接しても、従来の容器のように、寄せリブｃ２ａが、下に位置する容器Ｂｂのポケットｐ２の支脚ｃ２側に位置する内側面ｐ２ａに当接して、スライドスタッキングが阻止されるようなことがなく、支脚ｃ２は、傾斜面６ｂに沿って容易に前進することができ、従って、よりスムースなスライドスタッキングが可能になる。
【００２０】
幅広ポケット・支脚部Ｓ１の幅狭の支脚ｃ１にも、同様の支脚ｃ１の下面ｃ１’とほぼ同じ幅ｗ２を有する板状の寄せブロック８を形成することができるとともに、寄せブロック８のスライド方向前方に傾斜面８ａを形成することができる。上に位置する容器Ｂａの底部１の端部付近を、下に位置する容器Ｂｂの幅広支脚・ポケット部Ｓ２側に位置する短側壁３に載置するとともに、上に位置する容器Ｂａの幅広ポケット・支脚部Ｓ１の支脚ｃ１を、下に位置する容器Ｂｂの幅広支脚・ポケット部Ｓ２の幅広の支脚ｃ２の上方に位置するフランジ４に載置した後、上に位置する容器Ｂａを、下に位置する容器Ｂｂの幅広ポケット・支脚部Ｓ１側に位置する短側壁３方向（図４において、左方向）にスライドさせた場合には、上に位置する容器Ｂａの幅広ポケット・支脚部Ｓ１の支脚ｃ１は、下に位置する容器Ｂｂの幅広支脚・ポケット部Ｓ２のポケットｐ２を通過することになるが、支脚ｃ１に、支脚ｃ１の下面ｃ１’とほぼ同じ幅ｗ２を有する板状の寄せブロック８を形成することにより、上に位置する容器Ｂａの長側壁２に形成された幅広ポケット・支脚部Ｓ１の支脚ｃ１の寄せブロック８が、下に位置する容器Ｂｂの幅広支脚・ポケット部Ｓ２のポケットｐ２に入り難くなり、従って、スムースなスライドスタッキングが可能になる。また、スライド方向前方には傾斜面８ａが形成されているので、寄せブロック８が、下に位置する容器Ｂｂのポケットｐ２の幅広ポケット・支脚部Ｓ１の支脚ｃ１側に位置する内側面ｐ２ａと長側壁２の内壁面２ｂとにより形成される角部９に当接しても、支脚ｃ１は、傾斜面８ａに沿って容易に前進することができるので、従来の容器のように、スライドスタッキングが阻止されるようなことがなく、よりスムースなスライドスタッキングが可能になる。
【００２１】
上述した実施例においては、相対する長側壁２に、幅広ポケット・支脚部Ｓ１及び幅広支脚・ポケット部Ｓ２を配設した例が示されているが、相対する短側壁にも、同様の幅広ポケット・支脚部Ｓ１や幅広支脚・ポケット部Ｓ２を配設することもできる。この場合にも、短側壁３に沿ったスライドスタッキングが容易に行えるように、支脚に、上述したと同様のスライド方向前方に傾斜面を有する寄せブロックを形成することができる。
【００２２】
【発明の効果】
本発明は、以上説明したような構成を有するので、以下に記載する効果を奏するものである。
【００２３】
支脚の下面に、該下面とほぼ同じ幅を有する寄せブロックを形成したので、従来の運搬用容器のように、スライドスタッキングが阻止されるようなことがなく、スムースなスライドスタッキングが可能となる。
【００２４】
寄せブロックのスライド方向前方に、傾斜面を形成したので、よりスムースなスライドスタッキングが可能となる。
【図面の簡単な説明】
【図１】図１は本発明の運搬用容器の斜視図である。
【図２】図２は本発明の運搬用容器の正面図である。
【図３】図３は本発明の運搬用容器の部分拡大斜視図である。
【図４】図４は本発明の運搬用容器のスライドスタッキングを説明するための運搬用容器の斜視図である。
【図５】図５は従来の運搬用容器の斜視図である。
【図６】図６は従来の運搬用容器の正面図である。
【図７】図７は従来の運搬用容器のスライドスタッキングを説明するための運搬用容器の斜視図である。
【符号の説明】
Ｓ１・・・・・・・・・・・・幅広ポケット・支脚部
Ｓ２・・・・・・・・・・・・幅広支脚・ポケット部
ｃ１、ｃ２・・・・・・・・・支脚
ｐ１、ｐ２・・・・・・・・・ポケット
１・・・・・・・・・・・・・底部
２・・・・・・・・・・・・・長側壁
３・・・・・・・・・・・・・短側壁
６、８・・・・・・・・・・・寄せブロック
６ｂ、８ａ・・・・・・・・・傾斜面
【図１】
0003977648.tif 000002
【図２】
0003977648.tif 000003
【図３】
0003977648.tif 000004
【図４】
0003977648.tif 000005
【図５】
0003977648.tif 000006
【図６】
0003977648.tif 000007
【図７】
0003977648.tif 000008